(57)【特許請求の範囲】
【請求項１】
移動局に対して、各セカンダリセルがアクティブ状態にあるか或いは非アクティブ状態にあるかについて示す状態ビット及び１ビットの予約ビットからなるＭＡＣ制御要素を送信するように構成されている送信部と、
前記ＭＡＣ制御要素内の前記状態ビット及び前記予約ビットに対する設定を行うように構成されている制御部とを具備し、
前記制御部は、対象セカンダリセルの上りリンク及び下りリンクの両方においてアクティブ化を望む場合、前記予約ビットに「０」を設定し、該対象セカンダリセルに対応する状態ビットに「１」を設定するように構成されており、
前記制御部は、前記対象セカンダリセルの上りリンク及び下りリンクの両方において非アクティブ化を望む場合、前記予約ビットに「０」を設定し、該対象セカンダリセルに対応する状態ビットに「０」を設定するように構成されており、
前記制御部は、対象セカンダリセルの上りリンクのみにおいてアクティブ化を望む場合、前記予約ビットに「１」を設定し、該対象セカンダリセルに対応する状態ビットに「１」を設定するように構成されており、
前記制御部は、対象セカンダリセルの上りリンクのみにおいて非アクティブ化を望む場合、前記予約ビットに「１」を設定し、該対象セカンダリセルに対応する状態ビットに「０」を設定するように構成されていることを特徴とする無線基地局。
【請求項２】
無線基地局から、各セカンダリセルがアクティブ状態にあるか或いは非アクティブ状態にあるかについて示す状態ビット及び１ビットの予約ビットからなるＭＡＣ制御要素を受信するように構成されている送信部と、
前記ＭＡＣ制御要素内の前記状態ビット及び前記予約ビットに基づいて、各セカンダリセルに対するアクティブ化及び非アクティブ化を行うように構成されている制御部とを具備し、
前記予約ビットに「０」が設定されている場合には、前記制御部は、「１」に設定されている状態ビットに対応するセカンダリセルの上りリンク及び下りリンクの両方においてアクティブ化を行い、「０」に設定されている状態ビットに対応するセカンダリセルの上りリンク及び下りリンクの両方において非アクティブ化を行うように構成されており、
前記予約ビットに「１」が設定されている場合には、前記制御部は、「１」に設定されている状態ビットに対応するセカンダリセルの上りリンクのみにおいてアクティブ化を行い、「０」に設定されている状態ビットに対応するセカンダリセルの上りリンクのみにおいて非アクティブ化を行うように構成されていることを特徴とする移動局。
【発明の詳細な説明】
【技術分野】
【０００１】
本発明は、無線基地局及び移動局に関する。
【背景技術】
【０００２】
図１に示すように、ＬＴＥ（Ｌｏｎｇ  Ｔｅｒｍ  Ｅｖｏｌｕｔｉｏｎ）-Ａｄｖａｎｃｅｄ方式における「Ｈｅｔｅｒｏｇｅｎｅｏｕｓ  Ｎｅｔｗｏｒｋ」において、セル＃１（例えば、マクロセル）及びセル＃１１（例えば、ピコセル）を用いてＣＡ（Ｃａｒｒｉｅｒ  Ａｇｇｒｅｇａｔｉｏｎ、キャリアアグリゲーション）を行う場合、セル＃１１のカバーエリアの端部において、上りリンクにおける同期は外れているが、下りリンクにおける品質は良好なケースが想定される。
【０００３】
かかるケースにおいて、無線基地局ｅＮＢ＃１１は、移動局ＵＥに対して、下りリンクデータ信号について引き続きスケジューリングするために、以下の２つの方法を用いることが考えられる。
【０００４】
第１の方法は、無線基地局ｅＮＢ＃１１が、セル＃１１において、移動局ＵＥに対して、上りデータ信号を送信するためのリソース（ＰＵＳＣＨ：Ｐｈｙｓｉｃａｌ  Ｕｐｌｉｎｋ  Ｓｈａｒｅｄ  Ｃｈａｎｎｅｌ）を割り当てないという方法である。
【０００５】
しかしながら、かかる方法では、無線基地局ｅＮＢ＃１１が、上りデータ信号を送信するためのリソースを割り当てなくても、移動局ＵＥが、ＳＲＳ（Ｓｏｉｕｎｄｉｎｇ  Ｒｅｆｅｒｅｎｃｅ  Ｓｉｇｎａｌ）を送信する必要があるため、かかるＳＲＳが、隣接するセル＃１に対する干渉源となってしまうという問題点があった。
【０００６】
また、第２の方法は、無線基地局ｅＮＢ＃１１が、ＲＲＣシグナリングによって、セル＃１１の上りリンクのみにおいて非アクティブ化を行う方法である。
【０００７】
しかしながら、かかる方法では、ＲＲＣシグナリングの負荷が増加してしまうという問題点があった。
【０００８】
これらの問題点を解決するために、ＬＴＥ方式の仕様策定会議において、図６に示すように、無線基地局ｅＮＢ＃１１が、Ｓｃｅｌｌの上りリンクにおいてアクティブ化及び非アクティブ化を行うためのＭＡＣ  Ｃｏｎｔｒｏｌ  Ｅｌｅｍｅｎｔと、Ｓｃｅｌｌの下りリンクにおいてアクティブ化及び非アクティブ化を行うためのＭＡＣ  Ｃｏｎｔｒｏｌ  Ｅｌｅｍｅｎｔとを個別に用いる方法が提案されていた（非特許文献１参照）。
【先行技術文献】
【非特許文献】
【０００９】
【非特許文献１】３ＧＰＰ寄書Ｒ２-１０３０１１
【非特許文献２】３ＧＰＰ仕様  ＴＳ３６.３００
【非特許文献３】３ＧＰＰ仕様  ＴＳ３６.３２１
【発明の概要】
【発明が解決しようとする課題】
【００１０】
しかしながら、非特許文献１の方法では、Ｓｃｅｌｌのアクティブ化及び非アクティブ化を行うために要するＭＡＣ  Ｃｏｎｔｒｏｌ  Ｅｌｅｍｅｎｔのビット数を増やさなければならないという問題点があった。
【００１１】
本出願人は、図１に示すように、上りリンクにおける同期は外れているが、下りリンクにおける品質は良好なケースは想定されるが、上りリンクにおける品質は良好であるが、下りリンクにおける同期は外れているというケースは想定できないという点に着目して、すなわち、Ｓｃｅｌｌの下りリンクのみにおいてアクティブ化及び非アクティブ化を行う必要はないと考えた。
【００１２】
そこで、本発明は、上述の課題に鑑みてなされたものであり、Ｓｃｅｌｌのアクティブ化及び非アクティブ化を行うために要するＭＡＣ  Ｃｏｎｔｒｏｌ  Ｅｌｅｍｅｎｔのビット数を増やすことなく、上りリンクにおける同期は外れているが、下りリンクにおける品質は良好なケースにおいて、下りリンクデータ信号について引き続きスケジューリングすることができる無線基地局及び移動局を提供することを目的とする。
【課題を解決するための手段】
【００１３】
本発明の第１の特徴は、無線基地局であって、移動局に対して、各セカンダリセルがアクティブ状態にあるか或いは非アクティブ状態にあるかについて示す状態ビット及び１ビットの予約ビットからなるＭＡＣ制御要素を送信するように構成されている送信部と、前記ＭＡＣ制御要素内の前記状態ビット及び前記予約ビットに対する設定を行うように構成されている制御部とを具備し、前記制御部は、対象セカンダリセルの上りリンク及び下りリンクの両方においてアクティブ化を望む場合、前記予約ビットに「０」を設定し、該対象セカンダリセルに対応する状態ビットに「１」を設定するように構成されており、前記制御部は、前記対象セカンダリセルの上りリンク及び下りリンクの両方において非アクティブ化を望む場合、前記予約ビットに「０」を設定し、該対象セカンダリセルに対応する状態ビットに「０」を設定するように構成されており、前記制御部は、対象セカンダリセルの上りリンクのみにおいてアクティブ化を望む場合、前記予約ビットに「１」を設定し、該対象セカンダリセルに対応する状態ビットに「１」を設定するように構成されており、前記制御部は、対象セカンダリセルの上りリンクのみにおいて非アクティブ化を望む場合、前記予約ビットに「１」を設定し、該対象セカンダリセルに対応する状態ビットに「０」を設定するように構成されていることを要旨とする。
【００１４】
本発明の第２の特徴は、移動局であって、無線基地局から、各セカンダリセルがアクティブ状態にあるか或いは非アクティブ状態にあるかについて示す状態ビット及び１ビットの予約ビットからなるＭＡＣ制御要素を受信するように構成されている送信部と、前記ＭＡＣ制御要素内の前記状態ビット及び前記予約ビットに基づいて、各セカンダリセルに対するアクティブ化及び非アクティブ化を行うように構成されている制御部とを具備し、前記予約ビットに「０」が設定されている場合には、前記制御部は、「１」に設定されている状態ビットに対応するセカンダリセルの上りリンク及び下りリンクの両方においてアクティブ化を行い、「０」に設定されている状態ビットに対応するセカンダリセルの上りリンク及び下りリンクの両方において非アクティブ化を行うように構成されており、前記予約ビットに「１」が設定されている場合には、前記制御部は、「１」に設定されている状態ビットに対応するセカンダリセルの上りリンクのみにおいてアクティブ化を行い、「０」に設定されている状態ビットに対応するセカンダリセルの上りリンクのみにおいて非アクティブ化を行うように構成されていることを要旨とする。
【発明の効果】
【００１５】
以上説明したように、本発明によれば、Ｓｃｅｌｌのアクティブ化及び非アクティブ化を行うために要するＭＡＣ  Ｃｏｎｔｒｏｌ  Ｅｌｅｍｅｎｔのビット数を増やすことなく、上りリンクにおける同期は外れているが、下りリンクにおける品質は良好なケースにおいて、下りリンクデータ信号について引き続きスケジューリングすることができる無線基地局及び移動局を提供することができる。
【図面の簡単な説明】
【００１６】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局の動作を説明するための図である。
【図４】本発明の第１の実施形態に係る移動局の機能ブロック図である。
【図５】本発明の第１の実施形態に係る移動局の動作を示すフローチャートである。
【図６】従来の移動通信システムについて説明するための図である。
【発明を実施するための形態】
【００１７】
（本発明の第１の実施形態に係る移動通信システム）
図１及び図５を参照して、本発明の第１の実施形態に係る移動通信システムについて説明する。
【００１８】
図１に示すように、本実施形態に係る移動通信システムは、ＬＴＥ-Ａｄｖａｎｃｅｄ方式をサポートするものであって、ＣＡを行うことができるように構成されている。
【００１９】
図１に示すように、本実施形態に係る移動通信システムは、セル＃１を管理する無線基地局ｅＮＢ＃１と、セル＃２を管理する無線基地局ｅＮＢ＃２と、セル＃１１を管理する無線基地局ｅＮＢ＃１１と、セル＃２１を管理する無線基地局ｅＮＢ＃２１とを具備している。
【００２０】
ここで、セル＃１及びセル/＃２は、広いエリアをサポートするカバレッジバンド内の周波数キャリアによって運用されているセル（例えば、マクロセル）である。
【００２１】
一方、セル＃１１及びセル＃２１は、それぞれ、セル＃１及びセル＃２のカバーエリア内に配置されており、ホットスポットにおいてスループットを改善させるためのキャパシティバンド内の周波数キャリアによって運用されているセル（例えば、ピコセル）である。
【００２２】
また、図１の例では、セル＃１は、移動局ＵＥに対して「Ｐｃｅｌｌ（Ｐｒｉｍａｒｙ  Ｃｅｌｌ）」として設定されており、セル＃１１は、移動局ＵＥに対して「Ｓｃｅｌｌ（Ｓｅｃｏｎｄａｒｙ  Ｃｅｌｌ）として設定されアクティブ化されているものとする。
【００２３】
本実施形態に係る無線基地局ｅＮＢ＃１/ｅＮＢ＃２/ｅＮＢ＃１１/ｅＮＢ＃２１の構成は、基本的に同一であるため、以下、代表して、無線基地局ｅＮＢ＃１１の構成について説明する。
【００２４】
図２に示すように、無線基地局ｅＮＢ＃１１は、受信部１１と、制御部１２と、送信部１３とを具備している。
【００２５】
受信部１１は、移動局ＵＥによって送信される各種信号を受信するように構成されており、送信部１３は、移動局ＵＥに対して各種信号を送信するように構成されており、制御部１２は、無線基地局ｅＮＢ＃１１における各種制御を行うように構成されている。
【００２６】
具体的には、制御部１２は、「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」内の「Ｃｉ」及び「Ｒ」に対する設定を行うように構成されていてもよい。
【００２７】
ここで、「Ｃｉ」は、各Ｓｃｅｌｌ＃ｉがアクティブ状態にあるか或いは非アクティブ状態にあるかについて示す状態ビットであり、「Ｒ」は、１ビットの予約ビットである。なお、「Ｓｃｅｌｌ＃ｉ」は、ＳｃｅｌｌＩｎｄｅｘ＃ｉのＳｃｅｌｌを示す。
【００２８】
例えば、図３に示すように、「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」は、８ビット（１オクテット）からなり、Ｓｃｅｌｌ＃１〜＃７がアクティブ状態にあるか或いは非アクティブ状態にあるかについて示す「Ｃ１」から「Ｃ７」の状態ビット（７ビット）を有する。
【００２９】
例えば、制御部１２は、対象Ｓｃｅｌｌの上りリンク及び下りリンクの両方においてアクティブ化（Ａｃｔｉｖａｔｉｏｎ）を望む場合には、「Ｒ」に「０」を設定し、対象Ｓｃｅｌｌに対応する「Ｃｉ」に「１」を設定するように構成されていてもよい。
【００３０】
また、制御部１２は、対象Ｓｃｅｌｌの上りリンク及び下りリンクの両方において非アクティブ化（Ｄｅａｃｔｉｖａｔｉｏｎ）を望む場合には、「Ｒ」に「０」を設定し、対象Ｓｃｅｌｌに対応する「Ｃｉ」に「０」を設定するように構成されていてもよい。
【００３１】
一方、制御部１２は、対象Ｓｃｅｌｌの上りリンクのみにおいてアクティブ化を望む場合（例えば、上りリンクにおける同期は外れているが、下りリンクにおける品質は良好なケース）には、「Ｒ」に「１」を設定し、対象Ｓｃｅｌｌに対応する「Ｃｉ」に「１」を設定するように構成されていてもよい。
【００３２】
また、制御部１２は、対象Ｓｃｅｌｌの上りリンクのみにおいて非アクティブ化を望む場合（例えば、上りリンクにおける同期は外れているが、下りリンクにおける品質は良好なケース）には、「Ｒ」に「１」を設定し、対象Ｓｃｅｌｌに対応する「Ｃｉ」に「０」を設定するように構成されていてもよい。
【００３３】
なお、制御部１２は、上述の「Ｃｉ」及び「Ｒ」に設定する値として「０」及び「１」を反対にするように構成されていてもよい。
【００３４】
なお、送信部１３は、移動局ＵＥに対して、制御部によって生成された「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ（ＭＡＣ制御要素）」を送信するように構成されている。
【００３５】
図４に示すように、本実施形態に係る移動局ＵＥは、受信部２１と、制御部２２と、送信部２３とを具備している。
【００３６】
受信部２１は、無線基地局ｅＮＢによって送信される各種信号を受信するように構成されており、送信部２３は、無線基地局ｅＮＢに対して各種信号を送信するように構成されており、制御部２２は、移動局ＵＥにおける各種制御を行うように構成されている。
【００３７】
具体的には、受信部２１は、無線基地局ｅＮＢから、各Ｓｃｅｌｌ＃ｉがアクティブ状態にあるか或いは非アクティブ状態にあるかについて示す「Ｃｉ」及び１ビットの「Ｒ」からなる「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」を受信するように構成されていてもよい。
【００３８】
また、制御部２２は、「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」内の「Ｃｉ」及び「Ｒ」に基づいて、各Ｓｃｅｌｌ＃ｉに対するアクティブ化及び非アクティブ化を行うように構成されていてもよい。
【００３９】
例えば、受信部２１によって受信された「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」において「Ｒ」に「０」が設定されている場合には、制御部２２は、かかる「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」において「１」に設定されている「Ｃｉ」に対応するＳｃｅｌｌ＃ｉの上りリンク及び下りリンクの両方においてアクティブ化を行い、かかる「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」において「０」に設定されている「Ｃｉ」に対応するＳｃｅｌｌ＃ｉの上りリンク及び下りリンクの両方において非アクティブ化を行うように構成されていてもよい。
【００４０】
一方、受信部２１によって受信された「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」において「Ｒ」に「１」が設定されている場合には、制御部２２は、かかる「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」において「１」に設定されている「Ｃｉ」に対応するＳｃｅｌｌ＃ｉの上りリンクのみにおいてアクティブ化を行い、かかる「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」において「０」に設定されている「Ｃｉ」に対応するＳｃｅｌｌ＃ｉの上りリンクのみにおいて非アクティブ化を行うように構成されている。
【００４１】
かかる場合、制御部２２は、かかる「Ｃｉ」に対応するＳｃｅｌｌ＃ｉの上りリンクについては、かかる「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」の受信前の状態を維持するように構成されていてもよい。
【００４２】
以下、図５を参照して、本実施形態に係る移動局ＵＥの動作について説明する。
【００４３】
図５に示すように、移動局ＵＥは、無線基地局ｅＮＢから「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」を受信すると、ステップＳ１０１において、かかる「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」内の「Ｒ」に「０」又は「１」のどちらが設定されているかについて判定する。
【００４４】
「０」が設定されていると判定された場合、本動作は、ステップＳ１０２に進み、「１」が設定されていると判定された場合、本動作は、ステップＳ１０３に進む。
【００４５】
ステップＳ１０２において、移動局ＵＥは、かかる「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」において「１」に設定されている「Ｃｉ」に対応するＳｃｅｌｌ＃ｉの上りリンク及び下りリンクの両方においてアクティブ化を行い、かかる「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」において「０」に設定されている「Ｃｉ」に対応するＳｃｅｌｌ＃ｉの上りリンク及び下りリンクの両方において非アクティブ化を行う。
【００４６】
ステップＳ１０３において、移動局ＵＥは、かかる「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」において「１」に設定されている「Ｃｉ」に対応するＳｃｅｌｌ＃ｉの上りリンクのみにおいてアクティブ化を行い、かかる「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」において「０」に設定されている「Ｃｉ」に対応するＳｃｅｌｌ＃ｉの上りリンクのみにおいて非アクティブ化を行う。
【００４７】
本実施形態に係る発明によれば、図３に示す「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」内の「Ｒ」を用いて、各Ｓｃｅｌｌの上りリンク及び下りリンクの両方において非アクティブ化を行うか、或いは、各Ｓｃｅｌｌの上りリンクのみにおいて非アクティブ化を行う化を切り替えることができるため、既存の「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」のビット数を増やすことなく、上りリンクにおける同期は外れているが、下りリンクにおける品質は良好なケースにおいて、下りリンクデータ信号について引き続きスケジューリングすることができる。
【００４８】
以上に述べた本実施形態の特徴は、以下のように表現されていてもよい。
【００４９】
本実施形態の第１の特徴は、無線基地局ｅＮＢであって、移動局ＵＥに対して、各Ｓｃｅｌｌ（セカンダリセル）＃ｉがアクティブ状態にあるか或いは非アクティブ状態にあるかについて示す「Ｃｉ（状態ビット）」及び１ビットの「Ｒ（予約ビット）」からなる「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ（ＭＡＣ制御要素）」を送信するように構成されている送信部１３と、「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」内の「Ｃｉ」及び「Ｒ」に対する設定を行うように構成されている制御部１２とを具備し、制御部１２は、対象Ｓｃｅｌｌの上りリンク及び下りリンクの両方においてアクティブ化（Ａｃｔｉｖａｔｉｏｎ）を望む場合、「Ｒ」に「０」を設定し、対象Ｓｃｅｌｌに対応する「Ｃｉ」に「１」を設定するように構成されており、制御部１２は、対象Ｓｃｅｌｌの上りリンク及び下りリンクの両方において非アクティブ化（Ｄｅａｃｔｉｖａｔｉｏｎ）を望む場合、「Ｒ」に「０」を設定し、対象Ｓｃｅｌｌに対応する「Ｃｉ」に「０」を設定するように構成されており、制御部１２は、対象Ｓｃｅｌｌの上りリンクのみにおいてアクティブ化を望む場合、「Ｒ」に「１」を設定し、対象Ｓｃｅｌｌに対応する「Ｃｉ」に「１」を設定するように構成されており、制御部１２は、対象Ｓｃｅｌｌの上りリンクのみにおいて非アクティブ化を望む場合、「Ｒ」に「１」を設定し、対象Ｓｃｅｌｌに対応する「Ｃｉ」に「０」を設定するように構成されていることを要旨とする。
【００５０】
本実施形態の第２の特徴は、移動局ＵＥであって、無線基地局ｅＮＢから、各Ｓｃｅｌｌ＃ｉがアクティブ状態にあるか或いは非アクティブ状態にあるかについて示す「Ｃｉ」及び１ビットの「Ｒ」からなる「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」を受信するように構成されている受信部２１と、「Ａｃｔｉｖａｔｉｏｎ/Ｄｅａｃｔｉｖａｔｉｏｎ  ＭＡＣ  Ｃｏｎｔｒｏｌ  Ｅｌｅｍｅｎｔ」内の「Ｃｉ」及び「Ｒ」に基づいて、各Ｓｃｅｌｌ＃１〜＃７に対するアクティブ化及び非アクティブ化を行うように構成されている制御部２２とを具備し、「Ｒ」に「０」が設定されている場合には、制御部２２は、「１」に設定されている「Ｃｉ」に対応するＳｃｅｌｌの上りリンク及び下りリンクの両方においてアクティブ化を行い、「０」に設定されている「Ｃｉ」に対応するＳｃｅｌｌの上りリンク及び下りリンクの両方において非アクティブ化を行うように構成されており、「Ｒ」に「１」が設定されている場合には、制御部２２は、「１」に設定されている「Ｃｉ」に対応するＳｃｅｌｌの上りリンクのみにおいてアクティブ化を行い、「０」に設定されている「Ｃｉ」に対応するＳｃｅｌｌの上りリンクのみにおいて非アクティブ化を行うように構成されていることを要旨とする。
【００５１】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００５２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００５４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５５】
ｅＮＢ…無線基地局
ＵＥ…移動局
１１、２１…受信部
１２、２２…制御部
１３、２３…送信部
【図１】
0005819742.tif 000002
【図２】
0005819742.tif 000003
【図３】
0005819742.tif 000004
【図４】
0005819742.tif 000005
【図５】
0005819742.tif 000006
【図６】
0005819742.tif 000007